(57)【特許請求の範囲】
【請求項１】
リソース割り当て方法であって、
周波数軸上で少なくとも１以上の、周波数帯域幅であるリソースブロックが連続して成るリソースブロック群を端末に割り当て、
前記端末に割り当てられる周波数帯域の数に基づいて、リソース割当に関する割り当て情報を通知する下り物理制御信号の数を決定する
ことを特徴とするリソース割り当て方法。
【請求項２】
周波数軸上で少なくとも１以上の、周波数帯域幅であるリソースブロックが連続して成るリソースブロック群の割り当てに関する割り当て情報を通知する制御信号を受信し、
前記端末に割り当てられる周波数帯域の数に基づいて決定された所定の数の下り物理制御信号により通知される前記割り当て情報に基づいてリソース割当を特定する
ことを特徴とする通信方法。
【請求項３】
無線システムであって、
周波数軸上で少なくとも１以上の、周波数帯域幅であるリソースブロックが連続して成るリソースブロック群を端末に割り当てる割当手段と、
前記端末に割り当てられる周波数帯域の数に基づいて、リソース割当に関する割り当て情報を通知する下り物理制御信号の数を決定する決定手段と
を有することを特徴とする通信システム。
【請求項４】
基地局であって、
周波数軸上で少なくとも１以上の、周波数帯域幅であるリソースブロックが連続して成るリソースブロック群を端末に割り当てる割当手段と、
前記端末に割り当てられる周波数帯域の数に基づいて、リソース割当に関する割り当て情報を通知する下り物理制御信号の数を決定する決定手段と
を有することを特徴とする基地局。
【請求項５】
周波数軸上で少なくとも１以上の、周波数帯域幅であるリソースブロックが連続して成るリソースブロック群の割り当てに関する割り当て情報を通知する制御信号を受信する受信手段と、
前記割り当て情報に基づいて、リソース割当を特定する特定手段と
を有し、
前記特定手段は、前記端末に割り当てられる周波数帯域の数に基づいて決定された所定の数の下り物理制御信号により通知される前記割り当て情報に基づいてリソース割当を特定する
ことを特徴とする移動局。
【発明の詳細な説明】
【技術分野】
【０００１】
本発明は、移動無線システムの技術に関し、特にリソース割り当ての技術に関する。
【背景技術】
【０００２】
３ＧＰＰ(３rd Generation Partnership Project) ＬＴＥ（Long Term Evolution）の上りリンクではＰＡＰＲ（Peak to Average Power Ratio）の増大を回避し広いカバレッジを実現するために、無線アクセス方式としてＳＣ(Single Carrier)‐ＦＤＭＡ(Frequency Division Multiple Access)方式が採用されている。ＳＣ‐ＦＤＭＡでは、１伝送タイムインターバル(ＴＴＩ：Transmit Time Interval)内において、周波数軸上で少なくとも1以上のリソースブロック（ＲＢ：複数のサブキャリアから構成される）が連続して成る周波数ブロックを、１移動局あたり１個のみ割り当てることができる。ＳＣ−ＦＤＭＡのように周波数ブロック数が少ない場合には、木構造ベース(Tree-Based）（非特許文献１参照）の方法によりリソース割り当ての情報量を最小化できる。このため、ＬＴＥ上りリンクのスケジューリング時における上りリンクリソース割り当て情報（Uplink Scheduling Grant）の通知には、Tree-Basedが用いられている。
【非特許文献１】3GPP R1-070881 NEC Group, NTT DoCoMo“Uplink Resource Allocation for E-UTRA”, ２００７年２月
【発明の開示】
【発明が解決しようとする課題】
【０００３】
一方、ＬＴＥの下りリンクのアクセス方式として採用されているＯＦＤＭ（Orthogonal Frequency Division Multiplexing）では、非連続なサブキャリア割り当てを行って周波数ブロック数を増やし、マルチダイバーシチ効果を実現させてスループットを向上させている。ＯＦＤＭでは、ＬＴＥの下りリンクのリソースブロック割り当て情報（Downlink Scheduling Grant）の通知には、Bit Map（周波数ブロック数が大きい場合に適した方法）の採用が検討されている。Bit Mapは、ＬＴＥの上りリンクのＲＢ割り当て情報(Uplink Scheduling Grant)の通知に用いられているTree-Basedよりもオーバヘッドが大きくなっている。
【０００４】
具体的には、１００ＲＢの中で、リソース割り当てを行う場合、Bit Mapを用いると、周波数ブロックの数によらず１００bitsのリソースブロック割り当て情報が必要となる。一方、Tree-Basedを用いると、周波数ブロック数が１つの場合、log2100（100＋1）/2=13bitsのScheduling Grantを、下りリンクの制御信号であるＰＤＣＣＨ(Physical Downlink Control Channel)で、基地局から移動局に通知されるようになっている。
【０００５】
現在のＬＴＥにおけるUplink Scheduling Grantでは、１つのみの周波数ブロックの割り当て情報を通知することが可能である。また、ＬＴＥの下りでは割り当てるリソースブロックに制限を加えており、上限３７bitsのリソースブロック割り当て情報を送信することができ、リソースブロック割り当て情報が３７bits以内の場合はダミーデータを挿入している。このため、1つのUplink Scheduling Grantに３７bitsの情報量が送れるようなリソースを常に確保することが求められる。しかしながら、例えば、１００ＲＢの中で、ある端末に周波数ブロックを２つ割り当て、この割り当てた情報であるリソースブロック割り当て情報をTree Basedで通知する場合、13bits×2＝26bitsで済むが11bits分のダミーデータを挿入して通知しており、ダミーデータ分が無駄になる。このため、場合によっては、リソース割り当て情報量の無駄が増大してしまう。
【０００６】
そこで、本願発明が解決しようとする課題は、割り当てたリソースブロックを通知するにあたって、無駄無くリソースブロック割り当て情報を通知できる技術を提供することにある。
【課題を解決するための手段】
【０００７】
上記課題を解決するための本発明は、リソース割り当て方法であって、周波数軸上で少なくとも１以上の、周波数帯域幅であるリソースブロックが連続して成るリソースブロック群を端末に割り当て、前記端末に割り当てられる周波数帯域の数に基づいて、リソース割当に関する割り当て情報を通知する下り物理制御信号の数を決定することを特徴とする。
【０００８】
上記課題を解決するための本発明は、通信方法であって、周波数軸上で少なくとも１以上の、周波数帯域幅であるリソースブロックが連続して成るリソースブロック群の割り当てに関する割り当て情報を通知する制御信号を受信し、前記端末に割り当てられる周波数帯域の数に基づいて決定された所定の数の下り物理制御信号により通知される前記割り当て情報に基づいてリソース割当を特定することを特徴とする。
【０００９】
上記課題を解決するための本発明は、無線システムであって、周波数軸上で少なくとも１以上の、周波数帯域幅であるリソースブロックが連続して成るリソースブロック群を端末に割り当てる割当手段と、前記端末に割り当てられる周波数帯域の数に基づいて、リソース割当に関する割り当て情報を通知する下り物理制御信号の数を決定する決定手段とを有することを特徴とする。
【００１０】
上記課題を解決するための本発明は、基地局であって、周波数軸上で少なくとも１以上の、周波数帯域幅であるリソースブロックが連続して成るリソースブロック群を端末に割り当てる割当手段と、前記端末に割り当てられる周波数帯域の数に基づいて、リソース割当に関する割り当て情報を通知する下り物理制御信号の数を決定する決定手段とを有することを特徴とする。
【００１１】
上記課題を解決するための本発明は、移動局であって、周波数軸上で少なくとも１以上の、周波数帯域幅であるリソースブロックが連続して成るリソースブロック群の割り当てに関する割り当て情報を通知する制御信号を受信する受信手段と、前記割り当て情報に基づいて、リソース割当を特定する特定手段とを有し、前記特定手段は、前記端末に割り当てられる周波数帯域の数に基づいて決定された所定の数の下り物理制御信号により通知される前記割り当て情報に基づいてリソース割当を特定することを特徴とする。
【発明の効果】
【００１２】
本発明によると、割り当て情報を通知する際に生じていたリソースの無駄を削減することができる。
【図面の簡単な説明】
【００１３】
【図１】周波数ブロックを説明するための図である。
【図２】第１の実施の形態による無線通信システムにおける基地局のブロック図である。
【図３】第１の実施の形態による無線通信システムにおける移動局のブロック図である。
【図４】第１の実施の形態のフロー図である。
【図５】第１の実施の形態による無線通信システムにおける基地局の別のブロック図である。
【図６】第１実施の形態による無線通信システムにおける移動局の別のブロック図である。
【図７】第１の実施の形態による無線通信システムにおける基地局の別のブロック図である。
【図８】第１実施の形態による無線通信システムにおける移動局の別のブロック図である。
【図９】第１の実施の形態による無線通信システムにおける基地局の別のブロック図である。
【図１０】第１実施の形態による無線通信システムにおける移動局の別のブロック図である。
【図１１】第２の実施の形態のフロー図である。
【図１２】周波数ブロックと割り当て分解能との対応表の一例である。
【図１３】移動局に割り当てられたＲＢの例を示した図である。
【図１４】ＵＥ１に割り当てられたＲＢとUL Scheduling Grantの例を示した図である。
【図１５】ＵＥ２に割り当てられたＲＢとUL Scheduling Grantの例を示した図である。
【図１６】ＵＥ３に割り当てられたＲＢとUL Scheduling Grantの例を示した図である。
【図１７】ＵＥ４に割り当てられたＲＢとUL Scheduling Grantの例を示した図である。
【図１８】割り当て分解能によって変更するTree Basedを説明する図である。
【図１９】第３の実施の形態のフロー図である。
【図２０】最大周波数ブロックと割り当て分解能に対しリソース割り当て情報のビット数を示した図である。
【符号の説明】
【００１４】
１００  基地局
１０１  受信部
１０２  上りＲＳ分離部
１０３  上りＣＱＩ測定部
１０４  上りスケジュール部
１０５  最大周波数ブロック数決定部
１０６  上りデータ信号分離部
１０７  上りデータ信号復調部
１０８  上り制御信号分離部
１０９  上り制御信号復調部
１１０  下りスケジュール部
１１１  下り制御信号生成部
１１２  下りＲＳ信号生成部
１１３  下りデータ信号生成部
１１４  多重部
１１５  送信部
１１６  ＵＥ  ＩＤ生成部
２００  移動局
２０１  受信部
２０２  下りＲＳ分離部
２０３  下りＣＱＩ測定部
２０４  下りデータ信号分離部
２０５  下りデータ信号復調部
２０６  下り制御信号分離部
２０７  下り制御信号復調部
２０８  下りスケジューリング情報抽出部
２０９  最大周波数ブロック数抽出部
２１０  上りスケジューリング情報抽出部
２１１  上り制御信号生成部
２１２  上りＲＳ信号生成部
２１３  上りデータ信号生成部
２１４  多重部
２１５  送信部
【発明を実施するための最良の形態】
【００１５】
3rd Generation Partnership Project(3GPP)にて標準化が進められているLong Term Evolution(LTE)では、下りリンクのアクセス方式として、Orthogonal Frequency Division Multiplexing (OFDM)が採用されている。ＬＴＥの下りリンクでは、伝搬路依存の周波数スケジューリングが適用され、１伝送タイムインターバル（TTI：Transmit Time Interval）内において周波数軸上で少なくとも１以上の連続なリソースブロック（ＲＢ：複数のサブキャリアから構成される）から構成されるリソースブロック群である周波数ブロックを1移動局あたり複数個割り当てることができる。図１にＬＴＥの下りリンクにおける周波数ブロック割当の例を示す。ここでは、システム帯域において１TTI内に４移動局がスケジューリングされる例である。移動局１（UE１）の周波数ブロック数は３、移動局２（UE２）の周波数ブロック数は２、移動局３（UE３）の周波数ブロックは２、移動局４（UE４）の周波数ブロックは１となる。
【００１６】
本発明は、上記のような、同一移動局に周波数ブロックを複数個割り当てる基地局が各端末にリソースブロックを割り当てた情報であるスケジューリング情報（Uplink Scheduling Grant）の数及びこのスケジューリング情報を端末に通知する制御信号ＰＤＣＣＨ（Physical Downlink Control Channel）の数、又はビット数を決定することを特徴とする。以下に、本発明の詳細を図面を用いて説明する。
【００１７】
<第１の実施の形態>
本実施の形態における、基地局のブロック図を図２に、移動局のブロック図を図３に示す。
【００１８】
初めに基地局１００の構成について説明する。
【００１９】
基地局１００の受信部１０１は、移動局２００からの信号を受信し、ガードインターバルを用いて上りリンクの同期を確立し、基地局受信信号SRXBを出力する。
【００２０】
上りＲＳ（Reference Signal）分離部１０２は、基地局受信信号SRXBから、複数の移動局の上りリンクのＲＳ信号が多重された上りＲＳ信号SURSBを分離し出力する。
【００２１】
上りＣＱＩ測定部１０３は、複数の移動局の上りＲＳ信号SURSBを入力とし、それぞれの移動局におけるＲＢ毎のＣＱＩ（Channel Quality Indicator）を算出し、上りＣＱＩ情報SUCQBとして出力する。
【００２２】
上りスケジュール部１０４は、上りリンクのスケジューリングを行って、移動局にリソース割り当てを行う。上りスケジュール部１０４は、上りＣＱＩ情報SUCQBに基づいて、同一端末に割り当てる周波数ブロックの数を決定する。具体的には、ＣＱＩが良い状況では周波数ブロック数を大きくし、ＣＱＩが悪い状況では周波数ブロック数を小さくする。この決定された周波数ブロック数になるように、１リソースブロックずつ、リソースブロックを割り当てる。割り当てられたＲＢの位置をTree Basedで示したリソース割り当て情報を周波数ブロック毎に生成し、UL Scheduling Grant SUSCBとして出力する。即ち、同一ユーザの周波数ブロック数と同数のUL Scheduling Grant SUSCBを生成する。１００ＲＢを割り当てる場合、上りスケジューリング部１０４は、13bitsのUL Scheduling Grantを生成することになる。尚、以下では、上記のようにUL Scheduling Grantを周波数ブロック数と同数生成する構成を用いて説明するが、他の構成であっても良い。例えば、複数の周波数ブロックの割り当て情報を、１つのUL scheduling Grantに記して、UL Scheduling Grantの数を周波数ブロックの数より少なくする構成であっても良い。
【００２３】
下り制御信号生成部１１１は、UL Scheduling Grant SUSCB、移動局識別信号SUIDBおよびDL Scheduling Grant SDSCBを入力とし、複数のUL Scheduling Grantのそれぞれ、およびDL Scheduling Grant SDSCBに、移動局識別信号SUIDBを多重し、複数のUL Scheduling Grantそれぞれを下りリンクの制御信号PDCCH SDCCBとして生成し、さらに、DL Scheduling Grantを下りリンクの制御信号PDCCH SDCCBとして生成する。下りリンクの制御信号PDCCH SDCCBは、UL Scheduling Grant SUSCBの下りリンクの制御信号PDCCH SDCCBとDL Scheduling Grant SDSCBの下りリンクの制御信号PDCCH SDCCBとが生成される。即ち、下りリンクの制御信号PDCCH SDCCBは、UL Scheduling Grant SUSCBとDL Scheduling Grant SDSCBとの合計のScheduling Grantと同数生成される。また、下りリンクの制御信号PDCCH SDCCBには、UL Scheduling GrantとDL Scheduling Grantとを区別するための識別子であるDCI(Downlink Control Information)formatを示した情報bitが多重される。例えば、下りリンクの制御信号PDCCH SDCCBにおけるDCIformatが、UL Scheduling Grantの場合には0、DL Scheduling Grantの場合には1が、多重される。
【００２４】
下りＲＳ信号生成部１１２は、下りリンクのＲＳ信号を下りＲＳ信号SDRSBとして生成し出力する。
【００２５】
下りデータ信号生成部１１３は、DL Scheduling Grant SDSCBを入力とし、DL Scheduling Grant SDSCBが示すＲＢパターンに従って、複数の移動局の下りリンクのデータ信号を多重し、Physical Downlink Shared Channel(ＰＤＳＣＨ) SDDCBを生成し出力する。
【００２６】
多重部１１４は、PDCCH SDCCB、ＲＳ信号SDRSBおよびPDSCH SDDCBを入力とし、これらの信号を多重し、下り多重信号SMUXBとして生成し出力する。
【００２７】
送信部１１５は、下り多重信号SMUXBを入力とし、送信信号STXBを生成し出力する。
【００２８】
上りデータ信号分離部１０６は、基地局受信信号SRXBを入力とし、複数の移動局の上りリンクのデータ信号が多重されたPhysical Uplink Shared Channel(ＰＵＳＣＨ）SUDCBを抽出し出力する。上りデータ信号復調部は、PUSCH SUDCBを入力し、PUSCH SUDCBを復調し移動局の送信データを再生する。
【００２９】
上り制御信号分離部１０８は、基地局受信信号SRXBを入力とし、複数の移動局の上りリンクの制御信号が多重されたPhysical Uplink Control Channel(ＰＵＣＣＨ) SUCCBを抽出し出力する。上り制御信号復調部１０９は、PUCCH SUCCBを復調し、複数の移動局が送信した下りリンクのＣＱＩの測定結果である下りＣＱＩ測定信号SUCQBを出力する。下りスケジュール部１１０は、下りＣＱＩ測定信号SUCQBを入力とし、複数の移動局の下りリンクのスケジューリングを行い、割り当てられたＲＢの情報を示すDL Scheduling Grant SDSCBを生成し出力する。
【００３０】
ＵＥ ＩＤ生成部１１６は、移動局識別情報SUIDBを生成し、出力する。
【００３１】
続いて、移動局について説明する。図３は本実施の形態の移動局の主要構成を示すブロック図である。
【００３２】
移動局２００の受信部２０１は、基地局１００からの信号を受信し、ガードインターバルを用いて下りリンクの同期を確立し、移動局受信信号SRXUを出力する。
【００３３】
下りＲＳ（Reference Signal）信号分離部２０２は、移動局受信信号SRXUを入力とし、下りリンクのＲＳ信号が多重された下りＲＳ信号SDRSUを分離し出力する。下りＣＱＩ測定部２０３は、下りＲＳ信号SDRSUを入力とし、ＲＢ毎のＣＱＩを算出し、下りＣＱＩ情報SDCQUとして出力する。
【００３４】
下り制御信号分離部２０６は、移動局受信信号SRXUを入力とし、複数の移動局の下りリンクの制御信号が多重されたPDCCH SDCCUを分離し出力する。
【００３５】
下り制御信号復調部２０７はPDCCH SDCCUを入力とし、PDCCH SDCCUを復調して下りリンク制御信号を再生し、自移動局に対応する移動局識別情報が多重されている再生結果をすべて分離し、下り制御再生信号SDCMUとして出力する。尚、自移動局に対するＰＤＣＣＨは、周波数ブロック数と同じ数が多重されている。さらに、下り制御信号復調部２０７は、PDCCH SDCCUを復調して下りリンク制御信号を再生した結果において、自移動局宛の全ての下りリンクの制御信号の中に、誤りがあるかどうかを判断し、全てのＰＤＣＣＨに間違いが無ければＡＣＫを、１つでも間違いがあればＮＡＣＫを示す信号を、下り制御信号判定信号SDAKUとして生成し出力する。なお、下り制御信号判定信号SDSKUは、移動局２００から基地局１００へ通知され、下り制御信号判定信号SDAKUがＮＡＣＫであれば、基地局１００は、移動局２００に対応する下りリンク制御信号を全て再送する。尚、下り制御信号判定信号SDAKUは、同一のユーザに送信された全てのＰＤＣＣＨに対し、１つのみが生成されているが、ＰＤＣＣＨそれぞれに対し、下り制御信号判定信号SDAKUを生成することも考えられる。ＰＤＣＣＨ毎に、下り制御信号判定信号SDAKUを生成すれば、基地局１００は、誤ったＰＤＣＣＨのみを再送すれば良い。
【００３６】
下りスケジューリング情報抽出部２０８は、下り制御再生信号SDCMUを入力とし、DCIformatに“１”が記されている情報を、即ち、下りリンクのリソース割り当て情報DL Scheduling Grantを抽出する。そして、DL Scheduling Grantに含まれている下りＲＢ割り当て情報が示すＲＢを特定し、下りＲＢ割り当て判定情報 SDSCUとして出力する。
【００３７】
上りスケジューリング情報抽出部２１０は、下り制御再生信号SDCMUからDCIformatに“０”が記されている情報を、即ち、上りリンクのＲＢが割り当てられた情報を示すUL Scheduling Grantを抽出する。次に、UL Scheduling Grantに含まれている上りＲＢ割り当て情報が示すＲＢを特定し、上りＲＢ割り当て判定情報SUSCUとして出力する。
【００３８】
上り制御信号生成部２１１は、上りＲＢ割り当て判定情報SUSCUと下りＣＱＩ情報SDCQUを入力とし、下りＣＱＩ情報SDCQUを、上りＲＢ割り当て判定情報SUSCUが示す予め決められた制御信号用のリソースに多重したPhysical Uplink Control Channel(ＰＵＣＣＨ) SUCCUを生成し出力する。
【００３９】
上りＲＳ信号生成部２１２は、上りＲＢ割り当て判定情報SUSCUを入力とし、上りＲＢ割り当て判定情報SUSCUにおいて、予め決められたＲＳ用のリソースを用いて、上りリンクＲＳ送信信号SURSUを生成し出力する。
【００４０】
上りデータ信号生成部２１３は、上りＲＢ割り当て判定情報SUSCUを入力とし、上りＲＢ割り当て判定情報SUSCUにおいて、予め決められたデータ信号用のリソースを用いて、Physical Uplink Shared Channel(ＰＵＳＣＨ) SUDCUを生成し出力する。
【００４１】
多重部２１４は、PUCCH SUCCU、上りリンクＲＳ送信信号SURSU、PUSCH SUDCUおよび下り制御信号判定信号SDAKUを入力とし、これらの信号を多重し、移動局多重信号SMUXUを生成し出力する。送信部２１５は、移動局多重信号SMUXUを入力とし、移動局送信信号SMUXUを生成し、基地局１００へ送信する。
【００４２】
下りデータ信号分離部２０４は、下りＲＢ割り当て受信信号SDSCUと移動局受信信号SRXUを入力とし、下りＲＢ割り当て判定情報SDSCUを基に、自移動局に割り当てられた下りリンクのＲＢに多重されたPDSCH SDDCUを分離し出力する。下りデータ信号復調部２０５は、PDSCH SDDCUを入力とし、PDSCH SDDCUを復調し基地局から自移動局への送信データを再生する。
【００４３】
続いて、本実施の形態の動作を図４のフローを用いて説明する。尚、以下の説明では、１００ＲＢを割り当てる場合を用いて説明する。
【００４４】
基地局１００の受信部１０１は、移動局２００からの信号を受信し、ガードインターバルを用いて上りリンクの同期を確立し、基地局受信信号SRXBを出力する（ステップＳ１）。
【００４５】
出力された基地局受信信号SRXBから、上りＲＳ（Reference Signal）分離部１０２は、複数の移動局の上りリンクのＲＳ信号が多重された上りＲＳ信号SURSBを分離し出力する（ステップＳ２）。
【００４６】
複数の移動局の上りＲＳ信号SURSBから、上りＣＱＩ測定部１０３がそれぞれの移動局におけるＲＢ毎のＣＱＩ（Channel Quality Indicator）を算出し、上りＣＱＩ情報SUCQBとして出力する（ステップＳ３）。
【００４７】
上りスケジュール部１０４は、移動局毎の上りＣＱＩ情報SUCQBに基づいて、各移動局に割り当てるリソースにおける周波数ブロックの数を決定する（ステップＳ４）。
【００４８】
決定した周波数ブロックの数になるようにＲＢを割り当てる（ステップＳ５）。
【００４９】
次に、上りスケジュール部１０４は、割り当てたＲＢの位置を示した情報を周波数ブロック毎に生成し、各々が13BitsのUL Scheduling Grant SUSCBとして周波数ブロックの数だけ出力する（ステップＳ６）。
【００５０】
下り制御信号生成部１１１には、UL Scheduling Grant SUSCB、DL Scheduling Grant SDSCB、移動局識別情報SUIDBが入力され、下り制御信号生成部１１１は、複数のUL Scheduling Grant SUSCBのそれぞれ、および、DL Scheduling Grant SDSCB に、移動局識別情報SUIDBを多重し、UL Scheduling Grant SUSCBとDL Scheduling Grant SDSCBの合計のScheduling Grantの数と同数の下りリンクの制御信号をＰＤＣＣＨ(Physical Downlink Control Channel) SDCCBとして生成し出力する（ステップＳ７）。UL Scheduling Grant SUSCBが多重されたＰＤＣＣＨ(Physical Downlink Control Channel) SDCCBは、周波数ブロック数と同数生成される。
【００５１】
下りＲＳ信号生成部１１２は、下りリンクのＲＳ信号を下りＲＳ信号SDRSBとして生成し、下りデータ信号生成部１１３は、DL Scheduling Grant SDSCBを入力とし、DL Scheduling Grant SDSCBが示すＲＢパターンに従って、複数の移動局の下りリンクのデータ信号を多重し、Physical Downlink Shared Channel(ＰＤＳＣＨ) SDDCBを生成し出力する（ステップＳ８）。
【００５２】
多重部１１４は、PDCCH SDCCB、ＲＳ信号SDRSBおよびPDSCH SDDCBを入力とし、これらの信号を多重し、下り多重信号SMUXBとして生成し、送信部１１５は下り多重信号SMUXBから送信信号STXBを生成し送信する（ステップＳ９）。
【００５３】
移動局２００の受信部２０１は、基地局１００からの信号を受信し、ガードインターバルを用いて下りリンクの同期を確立し、移動局受信信号SRXUを出力する（ステップＳ１０）。
【００５４】
下りＲＳ（Reference Signal）信号分離部２０２は、移動局受信信号SRXUを入力とし、下りリンクのＲＳ信号が多重された下りＲＳ信号SDRSUを分離し出力し、下りＣＱＩ測定部２０３は、下りＲＳ信号SDRSUからＲＢ毎のＣＱＩを算出し、下りＣＱＩ情報SDCQUとして出力する（ステップＳ１１）。
【００５５】
下り制御信号分離部２０６は、移動局受信信号SRXUを入力とし、複数の移動局の下りリンクの制御信号が多重されたPDCCH SDCCUを分離し出力する（ステップＳ１２）。
【００５６】
下り制御信号復調部２０７はPDCCH SDCCUを復調して下りリンクの制御信号を再生し、自移動局に対応する移動局識別情報が多重されている再生結果を分離し、下り制御再生信号SDCMUとして出力する（ステップＳ１３）。
【００５７】
下りスケジューリング情報抽出部２０８は、下り制御再生信号SDCMUを入力とし、下りリンクのリソース割り当て情報に対応する下りＲＢ割り当て判定情報 SDSCUを抽出し出力する（ステップＳ１４）。
【００５８】
上りスケジューリング情報抽出部２１０は、下り制御再生信号SDCMUから、上りリンクのＲＢが割り当てられた情報を示す各UL Scheduling Grantを抽出して、上りＲＢ割り当て情報が示すＲＢを特定し、上りＲＢ割り当て判定情報SUSCUとして出力する（ステップＳ１５）。
【００５９】
上り制御信号生成部２１１は、上りＲＢ割り当て判定情報SUSCUと下りＣＱＩ情報SDCQUを入力とし、下りＣＱＩ情報SDCQUを上りＲＢ割り当て判定情報SUSCUが示す予め決められた制御信号用のリソースに多重したPhysical Uplink Control Channel(ＰＵＣＣＨ) SUCCUを生成し出力する（ステップＳ１６）。
【００６０】
上りＲＳ信号生成部２１２は、上りＲＢ割り当て判定情報SUSCUを入力とし、上りＲＢ割り当て判定情報SUSCUにおいて、予め決められたＲＳ用のリソースを用いて、上りリンクＲＳ送信信号SURSUを生成し出力する（ステップＳ１７）。
【００６１】
上りデータ信号生成部２１３は、上りＲＢ割り当て判定情報SUSCUを入力とし、上りＲＢ割り当て判定情報SUSCUにおいて、予め決められたデータ信号用のリソースを用いて、Physical Uplink Shared Channel(ＰＵＳＣＨ) SUDCUを生成し出力する（ステップＳ１８）。
【００６２】
多重部２１４は、PUCCH SUCCU、上りリンクＲＳ送信信号SURSU、PUSCH SUDCUおよび下り制御信号判定信号SDAKUを入力とし、これらの信号を多重し、移動局多重信号SMUXUを生成し、送信部２１５は移動局多重信号SMUXUを基地局１００へ送信する（ステップＳ１９）。
【００６３】
尚、上記実施の形態では、リソースの割り当て情報をTree Basedで示した場合を用いて説明したが、Tree Based以外であってもよい。
【００６４】
また、上記実施の形態では、移動局の伝搬路の品質状況（Soundingリファレンス信号で測定したCQI）から周波数ブロック数を決定する形態を用いて説明したが、例えば、セルサイズやシステム帯域幅、基地局のカバレッジ、上りSoundingリファレンス信号の帯域幅、上りデータ送信に用いた帯域幅、上りデータ送信に用いた変調多値数および符号化率、移動局の送受信可能帯域幅（UE capabilityとも言う）、上り送信データの種類(VoIP, HTTP, FTP etc.)等の通信環境に関する情報や、ユーザが契約している料金体系、パワーヘッドルーム（パワーヘッドルームとは移動局の最大送信電力と移動局の実際の送信電力の差である。）、上りパワーコントロールのターゲットSINR等の通信環境に影響を与える情報であってもよい。また、上記のセルサイズは、基地局の位置、基地局間の距離、干渉電力等の通信環境に影響を与える情報によって決定されるため、これらの情報を用いて周波数ブロック数を選択しても良い。
【００６５】
また、上記実施の形態では、上りＣＱＩに応じて決定した周波数ブロック数とＰＤＣＣＨの数とを同一にする形態を用いて説明したが、上りＣＱＩに応じて決定した最大周波数ブロック数とＰＤＣＣＨの数とを同一にする形態であってもよい。この場合、図５に示すように、基地局に、上りＣＱＩに応じて決定した最大周波数ブロック数を決定する最大周波数ブロック数決定部１０５が構成される。一方、移動局は、図６に示すように、最大周波数ブロック数抽出部２０９が構成される。尚、最大周波数ブロック数とは、同一端末に割り当てることができる周波数ブロックの最大の数である。
【００６６】
ここで、最大周波数ブロック数の決定方法の別の方法について以下で説明する。
【００６７】
まず、最大周波数ブロック数決定部が、最大周波数ブロック数を移動局と基地局との位置によって決定する場合の構成について説明する。
【００６８】
図７は、最大の周波数ブロック数を移動局と基地局との位置によって決定する場合の基地局１００のブロック図である。
【００６９】
基地局１００において、上り制御信号復調部１０９は、PUCCH SUCCBを復調し、複数の移動局が送信した下りリンクのＣＱＩの測定結果である下りＣＱＩ測定信号SUCQBと移動局の位置を示す移動局位置受信情報SULCBを出力する。
【００７０】
最大周波数ブロック数決定部１０５−１は、移動局位置受信情報SULCBを入力とし、移動局位置受信情報SULCBが示す移動局の位置から、それぞれの移動局に割り当てる周波数リソースにおける最大の周波数ブロック数を決定し、それぞれの移動局の最大周波数ブロック信号SUDFBを生成し出力する。具体的には、最大の周波数ブロック数は、基地局から遠いユーザほど小さくなるように決定されて生成される。
【００７１】
図８は、最大の周波数ブロック数を移動局と基地局との位置によって決定する場合の移動局２００のブロック図である。
【００７２】
移動局２００において、位置測定部４１６は、ＧＰＳ信号衛星からの信号を用いて移動局の位置を測定する機能を有し、ＧＰＳ衛星からの信号を受信し、移動局２００の位置を測定し、移動局位置情報SULCUを生成し出力する。
【００７３】
上り制御信号生成部２１１−１は、上りＲＢ割り当て判定情報SUSCU、下りＣＱＩ情報SDCQUと移動局位置情報SULCUを入力とし、下りＣＱＩ情報SDCQUと移動局位置情報SULCBを、上りＲＢ割り当て判定情報SUSCUが示すリソースにおいて予め決められた制御信号用のリソースを用いてPUCCH SUCCUを生成し出力する。
【００７４】
上記の構成により、最大の周波数ブロック数が小さい移動局には割り当て分解能を小さくしてＲＢを割り当て、最大の周波数ブロック数が大きい移動局には割り当て分解能を大きくしてＲＢを割り当てる。
【００７５】
続いて、最大周波数ブロック数決定部が、移動局において増大可能な送信電力を示したパワーヘッドルームに応じて最大の周波数ブロック数を決定する場合について説明する。
【００７６】
図９は、最大の周波数ブロック数を移動局において増大可能な送信電力を示したパワーヘッドルームに応じて決定する場合の基地局１００のブロック図である。
【００７７】
基地局１００において、上り送信電力決定部５１７は、上りＣＱＩ情報SUCQBを入力とし、所用受信電力を満たすために必要な、移動局の送信電力値を算出し、上り送信電力設定情報SUPWBとして生成し出力する。
【００７８】
上り制御信号復調部１０９は、上り制御信号SUCCBを復調し、複数の移動局が送信した下りリンクのＣＱＩの測定結果である下りＣＱＩ測定信号SUCQBと移動局パワーヘッドルーム受信情報SUHRBを出力する。
【００７９】
最大周波数ブロック数決定部１０５−２は、パワーヘッドルーム受信情報SUHRBを入力とし、パワーヘッドルーム受信情報SUHRBを基に、それぞれの移動局に割り当てる周波数リソースにおける最大の周波数ブロック数を決定し、移動局の最大周波数ブロック信号SUDFBとして生成し出力する。具体的には、例えば、最大の周波数ブロック数の初期値を１にし、パワーヘッドルーム受信情報SUHRBが示す値が閾値電力PDFUPを(PDFUPは正の実数)を超えていれば、最大の周波数ブロック数の値を１増大させる。パワーヘッドルーム受信情報SUHRBが示す値が０で、最大の周波数ブロック数が２以上であれば、最大の周波数ブロック数の値を１減少させる。即ち、送信電力に余裕があれば、最大の周波数ブロック数を大きくして割り当て可能な周波数ブロック数を増やし、伝搬路依存の周波数スケジューリングにおける利得を増大させる。また、送信電力に余裕がなく、パワーリミテッドな場合には、最大の周波数ブロック数を小さくしてより高い電力密度で信号を送信するようにする。
【００８０】
下り制御信号生成部５１１は、移動局識別情報SUIDB、UL Scheduling Grant SUSCB、DL Scheduling Grant SDSCB、最大周波数ブロック信号SUDFBおよび上り送信電力設定情報SUPWBを入力とし、これらを多重した下りリンクの制御信号を、PDCCH SDCCBとして生成し出力する。
【００８１】
図１０は、最大の周波数ブロック数を移動局において増大可能な送信電力を示したパワーヘッドルームに応じて決定する場合の移動局２００のブロック図である。
【００８２】
移動局２００において、上り送信電力情報抽出部６１６は、下り制御再生信号 SDCMUから、基地局から通知された、移動局における上りリンクの送信電力値が示された上り送信電力設定値受信情報SUPWUを抽出し出力する。
【００８３】
パワーヘッドルーム算出部６１７は、上り送信電力設定値受信情報SUPWUを入力とし、移動局が送信可能な最大送信電力値から上り送信電力設定値受信情報SUPWUを差し引いた値を、移動局パワーヘッドルーム情報SUHRUとして出力する。移動局パワーヘッドルーム情報SUHRUは、上り送信電力設定値受信情報SUPWUが示す電力で送信後において、移動局が更に送信可能な余剰電力を示す。
【００８４】
上り制御信号生成部２１１−２は、上りＲＢ割り当て判定情報SUSCU、下りＣＱＩ情報SDCQUと移動局パワーヘッドルーム情報SUHRUを入力とし、下りＣＱＩ情報SDCQUと移動局パワーヘッドルーム情報SUHRUを、上りＲＢ割り当て判定情報SUSCUが示すリソースにおいて予め決められた制御信号用のリソースを用いて、PUCCH SUCCUを生成し出力する。
【００８５】
尚、最大周波数ブロックは、上記の移動局と基地局との位置関係やパワーヘッドルーム以外にも、移動局の伝搬路の品質状況、セルサイズやシステム帯域幅、基地局のカバレッジ、上りSoundingリファレンス信号の帯域幅、上りデータ送信に用いた帯域幅、上りデータ送信に用いた変調多値数および符号化率、移動局の送受信可能帯域幅（UE capabilityとも言う）、上り送信データの種類(VoIP, HTTP, FTP etc.)等の通信環境に関する情報や、ユーザが契約している料金体系、上りパワーコントロールのターゲットSINR等の通信環境に影響を与える情報であってもよい。
【００８６】
上記のように、リソースブロックの割り当て情報を必要最低限のビット数で、周波数ブロック数の数分ＰＤＣＣＨを生成すると、ＰＤＣＣＨのリソースの無駄を削減することができる。
【００８７】
<第２の実施の形態>
上記実施の形態では、Uplink Scheduling Grantの数と、このUplink Scheduling Grantを端末に通知する制御信号ＰＤＣＣＨの数とを、周波数ブロックの数又は最大周波数ブロックの数と同数分生成する形態について説明した。本実施の形態では、上記実施の形態において、基地局が移動局に周波数ブロックの数を通知する形態について説明する。尚、上記実施の形態と同様の構成に付いては、同一番号を付し、詳細な説明は省略する。
【００８８】
上りスケジュール部１０４は、割り当てられたＲＢの位置を示すリソース割り当て情報をUL Scheduling Grant SUSCBとして、決定された周波数ブロック数をSUDFBとして出力する。
【００８９】
下り制御信号生成部１１１は、UL Scheduling Grant SUSCB、移動局識別信号SUIDBおよびDL Scheduling Grant SDSCBを入力とし、複数のUL Scheduling Grantのそれぞれ、及びDL Scheduling Grantに、移動局識別信号SUIDBを多重し、複数のUL Scheduling Grantそれぞれを下りリンクの制御信号PDCCH SDCCBとして生成し、さらに、DL Scheduling Grantを下りリンクの制御信号PDCCH SDCCBとして生成する。下りリンクの制御信号PDCCH SDCCBは、UL Scheduling Grant SUSCBの下りリンクの制御信号PDCCH SDCCBとDL Scheduling Grant SDSCBの下りリンクの制御信号PDCCH SDCCBとが生成される。即ち、下りリンクの制御信号PDCCH SDCCBは、UL Scheduling Grant SUSCBとDL Scheduling Grant SDSCBとの合計のScheduling Grantと同数生成される。また、下りリンクの制御信号PDCCH SDCCBには、UL Scheduling GrantとDL Scheduling Grantとを区別するための識別子であるDCI(Downlink Control Information)formatを示した情報bitが多重される。例えば、下りリンクの制御信号PDCCH SDCCBにおけるDCIformatが、UL Scheduling Grantの場合には0、DL Scheduling Grantの場合には1が、多重される。また、周波数ブロック数SUDFBを入力とし、Higher layerの制御信号を生成してＰＢＣＨ（Physical Broadcast Channel）として出力する。
【００９０】
下り制御信号分離部２０６は、移動局受信信号SRXUを入力とし、複数の移動局の下りリンクの制御信号が多重されたPDCCH SDCCUとＰＢＣＨを分離し出力する。
【００９１】
下り制御信号復調部２０７は、ＰＢＣＨを入力とし、ＰＢＣＨを復調してHigher layerの制御信号を再生し、自移動局に対応する移動局識別情報が多重されている再生結果を分離する。そして、Higher layer制御再生信号の周波数ブロックの数から自移動局宛のＰＤＣＣＨの数を認識し、復調した自移動局宛のＰＤＣＣＨの数が周波数ブロックの数と同数に達した時、ＰＤＣＣＨの復調を終了する。
【００９２】
続いて、本実施の形態の動作を図１１のフローを用いて説明する。
【００９３】
基地局１００の受信部１０１は、移動局２００からの信号を受信し、ガードインターバルを用いて上りリンクの同期を確立し、基地局受信信号SRXBを出力する（ステップＳ１）。
【００９４】
出力された基地局受信信号SRXBから、上りＲＳ（Reference Signal）分離部１０２は、複数の移動局の上りリンクのＲＳ信号が多重された上りＲＳ信号SURSBを分離し出力する（ステップＳ２）。
【００９５】
複数の移動局の上りＲＳ信号SURSBから、上りＣＱＩ測定部１０３がそれぞれの移動局におけるＲＢ毎のＣＱＩ（Channel Quality Indicator）を算出し、上りＣＱＩ情報SUCQBとして出力する（ステップＳ３）。
【００９６】
上りスケジュール部１０４は、移動局毎の上りＣＱＩ情報SUCQBに基づいて、各移動局に割り当てるリソースにおける周波数ブロックの数を決定する（ステップＳ４）。
【００９７】
決定した周波数ブロックの数になるようにＲＢを割り当てる（ステップＳ５）。
【００９８】
次に、上りスケジュール部１０４は、割り当てたＲＢの位置を示した情報を周波数ブロック毎に生成して各々が13BitsのUL Scheduling Grant SUSCBを周波数ブロックの数分、出力する。さらに、決定された周波数ブロックをSUDFBとして出力する（ステップＳ６）。
【００９９】
下り制御信号生成部１１１には、UL Scheduling Grant SUSCB、DL Scheduling Grant SDSCB、移動局識別情報SUIDBが入力され、下り制御信号生成部１１１は、複数のUL Scheduling Grant SUSCBのそれぞれ、および、DL Scheduling Grant SDSCB に、移動局識別情報SUIDBを多重し、UL Scheduling Grant SUSCBとDL Scheduling Grant SDSCBの合計のScheduling Grantの数と同数の下りリンクの制御信号をＰＤＣＣＨ(Physical Downlink Control Channel) SDCCBとして生成し出力する。UL Scheduling Grant SUSCBが多重されたＰＤＣＣＨ(Physical Downlink Control Channel) SDCCBは、周波数ブロック数と同数生成される。更に、周波数ブロック数SUDFBを入力としてHigher layerの制御信号を生成してＰＢＣＨとして出力する（ステップＳ７）。
【０１００】
下りＲＳ信号生成部１１２は、下りリンクのＲＳ信号を下りＲＳ信号SDRSBとして生成し、下りデータ信号生成部１１３はDL Scheduling Grant SDSCBが示すＲＢパターンに従って、複数の移動局の下りリンクのデータ信号を多重し、Physical Downlink Shared Channel(ＰＤＳＣＨ) SDDCBを生成し出力する（ステップＳ８）。
【０１０１】
多重部１１４は、PDCCH SDCCB、ＲＳ信号SDRSBおよびPDSCH SDDCBを入力とし、これらの信号を多重し、下り多重信号SMUXBとして生成し、送信部１１５は、下り多重信号SMUXBから送信信号STXBを生成し送信する（ステップＳ９）。
【０１０２】
移動局２００の受信部２０１は、基地局１００からの信号を受信し、ガードインターバルを用いて下りリンクの同期を確立し、移動局受信信号SRXUを出力する（ステップＳ１０）。
【０１０３】
下りＲＳ（Reference Signal）信号分離部２０２は、移動局受信信号SRXUを入力とし、下りリンクのＲＳ信号が多重された下りＲＳ信号SDRSUを分離し、下りＣＱＩ測定部２０３は、下りＲＳ信号SDRSUからＲＢ毎のＣＱＩを算出し、下りＣＱＩ情報SDCQUとして出力する（ステップＳ１１）。
【０１０４】
下り制御信号分離部２０６は、移動局受信信号SRXUを入力とし、複数の移動局の下りリンクの制御信号が多重されたPDCCH SDCCUとＰＢＣＨを分離し出力する（ステップＳ１２）。
【０１０５】
下り制御信号復調部２０７は、ＰＢＣＨを入力とし、ＰＢＣＨを復調してHigher layerの制御信号を再生し、自移動局に対応する移動局識別情報が多重されている再生結果を分離して、Higher layer制御再生信号の周波数ブロックの数から自移動局宛のＰＤＣＣＨの数を認識し、復調した自移動局宛のＰＤＣＣＨの数が周波数ブロックの数と同数に達した時、ＰＤＣＣＨの復調を終了する（ステップＳ２０）。
【０１０６】
下り制御信号復調部２０７は、PDCCH SDCCUを入力とし、PDCCH SDCCUを復調して下りリンクの制御信号を再生し、自移動局に対応する移動局識別情報が多重されている再生結果を分離し、下り制御再生信号SDCMUとして出力する（ステップＳ１３）。
【０１０７】
下りスケジューリング情報抽出部２０８は、下り制御再生信号SDCMUを入力とし、下りリンクのリソース割り当て情報に対応する下りＲＢ割り当て判定情報 SDSCUを抽出し出力する（ステップＳ１４）。
【０１０８】
上りスケジューリング情報抽出部２１０は、下り制御再生信号SDCMUから、上りリンクのＲＢが割り当てられた情報を示すUL Scheduling Grantを抽出して上りＲＢ割り当て情報が示すＲＢを特定し、上りＲＢ割り当て判定情報SUSCUとして出力する（ステップＳ１５）。
【０１０９】
上り制御信号生成部２１１は、上りＲＢ割り当て判定情報SUSCUと下りＣＱＩ情報SDCQUを入力とし、下りＣＱＩ情報SDCQUを上りＲＢ割り当て判定情報SUSCUが示す予め決められた制御信号用のリソースに多重したPhysical Uplink Control Channel(ＰＵＣＣＨ) SUCCUを生成し出力する（ステップ１６）。
【０１１０】
上りＲＳ信号生成部２１２は、上りＲＢ割り当て判定情報SUSCUを入力とし、上りＲＢ割り当て判定情報SUSCUにおいて、予め決められたＲＳ用のリソースを用いて、上りリンクＲＳ送信信号SURSUを生成し出力する（ステップＳ１７）。
【０１１１】
上りデータ信号生成部２１３は、上りＲＢ割り当て判定情報SUSCUを入力とし、上りＲＢ割り当て判定情報SUSCUにおいて、予め決められたデータ信号用のリソースを用いて、Physical Uplink Shared Channel(ＰＵＳＣＨ) SUDCUを生成し出力する（ステップＳ１８）。
【０１１２】
多重部２１４は、PUCCH SUCCU、上りリンクＲＳ送信信号SURSU、PUSCH SUDCUおよび下り制御信号判定信号SDAKUを入力とし、これらの信号を多重し、移動局多重信号SMUXUを生成し、送信部２１５は、移動局多重信号SMUXUを基地局１００へ送信する（ステップＳ１９）。
【０１１３】
尚、上記実施の形態では、周波数ブロック数はＰＢＣＨで通知される場合を用いて説明したが、このほかにもＰＤＳＣＨ（Physical Downlink Shared Channel）等にマッピングされるHigher layerの制御信号で通知される。また、移動局毎に最大周波数ブロックが決定されていれば、基地局は移動局に最大周波数ブロックを通知する形態であっても良い。
【０１１４】
上記のように、移動局に送信されるPDCCHの数に対応する周波数ブロック数、又は最大周波数ブロック数が、基地局から移動局に事前に通知されていれば、本発明は、さらに、移動局の処理量を削減する効果も得ることができる。例えば、ＬＴＥでは、移動局は、自移動局宛のＰＤＣＣＨを得るために、自移動局宛であるかどうかを、PDCCHに多重された移動局識別子の情報を確認する。復調した自移動局宛のPDCCHの数が、基地局から通知された周波数ブロック数や最大周波数ブロック数に達すれば、移動局は、ＰＤＣＣＨの復調処理を終了することが出来る。つまり、移動局は、すべてのＰＤＣＣＨを復調する必要がなくなり、処理量を削減できる。
【０１１５】
<第３の実施の形態>
本実施の形態では、UL Scheduling Grantのビット数を減らすことができる形態について説明する。尚、上記実施の形態と同様の構成については同一番号を付し、詳細な説明は省略する。尚、以下の説明では、第２の実施の形態を基にして説明するが、第１の実施の形態に基づいても良い。
【０１１６】
上りスケジュール部１０４は、移動局毎に上りリンクのスケジューリングを行う。上りスケジュール部１０４は、上りＣＱＩ情報SUCQBに基づいて割り当てるリソースにおける周波数ブロックの数を決定する。この決定された周波数ブロックの数に応じて、決定する割り当て分解能で、且つ決定された周波数ブロックの数でＲＢを割り当てる。割り当て分解能が決定すると、これに応じて、割り当てたＲＢの位置を示すTree-basedの構造が決定する。割り当てたＲＢの位置をTree-basedで示した周波数ブロック毎のリソース割り当て情報と割り当て分解能の値とのスケジューリング情報を周波数ブロック毎に生成して、即ちUL Scheduling Grant SUSCBを周波数ブロックの数分、決定したTree-basedの構造に応じたビット数で出力する。また、周波数ブロック数をSUDFBとして出力する。尚、割り当て分解能の値は、全UL Scheduling Grantに入れても良いが、最初に通知されるUL Scheduling Grantに入れても良い。
【０１１７】
ここで、上りスケジュール部１０４における、具体的な処理を次に説明する。
【０１１８】
上りスケジュール部１０４では、上りＣＱＩ情報SUCQBに基づいて決定した周波数ブロックの数によって、リソース割り当てにおける最小の周波数帯域幅、即ち、リソースブロックの割り当ての最小単位である割り当て分解能を変化させて設定する。詳細には、周波数ブロックの数が大きいほど、割り当て分解能を大きくするように設定する。
【０１１９】
以下に、システム帯域を１０個のＲＢとした時に、１ユーザのリソース割り当てに用いるシグナリングBit数が１４bits以内に抑えられる場合の具体例を次に述べる。
【０１２０】
上りスケジュール部１０４のリソース割り当てでは、図１２に示す周波数ブロック数と割り当て分解能との関係を示した対応表を用いてリソース割り当てを行う。この対応表は、通信環境等に応じて設定する。例えば、周波数ブロックの数が大きいほど、割り当て分解能を大きくするように設定されている。この関係を用いることで、周波数ブロック数が４以下におけるシグナリングBit数を割り当て分解能の値の通知(２bit)を含めて１４bitsに抑えることが可能である。
【０１２１】
ＵＥ１、ＵＥ２、ＵＥ３、ＵＥ４の４つの移動局において、ＵＥ１に割り当てられる周波数ブロック数は３、ＵＥ２に割り当てられる周波数ブロック数は２、ＵＥ３に割り当てられる周波数ブロック数は１、ＵＥ４に割り当てられる周波数ブロック数は１とする。このとき、図１３に示すリソースブロックを左から右に順番にＲＢ０、ＲＢ１、・・・ＲＢ８、ＲＢ９とすると、ＵＥ１にはＲＢ０、ＲＢ１，ＲＢ４、ＲＢ５、ＲＢ８及びＲＢ９が、ＵＥ２にはＲＢ３及びＲＢ６が、ＵＥ３にはＲＢ２が、ＵＥ４にはＲＢ７がスケジューリングされるとする。図１３のスケジューリングと、図１２の周波数ブロック数と割り当て分解能の関係を用いた場合について説明する。尚、図１４、図１５、図１６、図１７に、ＵＥ１、ＵＥ２、ＵＥ３、ＵＥ４それぞれにおける、ＲＢの割り当て例およびTree-Basedを用いたときのUL Scheduling Grantの例を示す。
【０１２２】
ＵＥ３およびＵＥ４では、周波数ブロック数は１であるため、図１２の対応表を用いると割り当て分解能は１ＲＢとなる。従って、ＵＥ３およびＵＥ４には、リソースブロックを割り当てる際、リソースブロックを１個ずつ且つ周波数ブロック数が１以内になるようにリソースブロックが割り当てられることになる。そして、割り当て分解能を１ＲＢとし、Tree-Basedで全帯域１０ＲＢ内における１つの周波数ブロックに対応するリソースを表記するには、１〜５５（６bits）におけるいずれかの値が必要である。ここで、図１６および図１７における１周波数ブロックのリソースを示す１〜５５の値は、木構造になるように構成されている。このTree-Basedにおける木構造は、割り当て分解能によって変化する。即ち、UL Scheduling Grantのビット数も変化する。
【０１２３】
例えば、図１８に示すように、割り当て分解能が１ＲＢの場合、木構造は６bitsで表記可能な１〜５５の数列から構成される。また、割り当て分解能が２ＲＢの場合、２リソースブロックを単位にして割り当てられていくので、システム帯域が５個のＲＢである場合と同様の数列で扱える。そのため、木構造は１〜１５の数列から構成される。この木構造を決定された周波数ブロック数と１対１に対応付け、移動局へ割り当て分解能又は周波数ブロック数を通知することにより、Tree-Basedにおける木構造を識別できる。
【０１２４】
ＵＥ３およびＵＥ４には、周波数ブロック数＝１個の周波数ブロックのみがスケジューリングされるため、ＵＥ３およびＵＥ４には、UL Scheduling Grantが１つ生成される。そして、そのUL Scheduling Grantのビット数は、割り当て分解能の値の通知を含めると、６bits＋２bits＝８bitsになる。ＵＥ３に通知するUL Scheduling Grantが示す内容は、割り当て分解能の値“１”と、割り当てたリソースブロックの位置を木構造で示した場合の位置である“２”（図１６中の“２”）が通知される。また、ＵＥ４のUL Scheduling Grantは８bitsになり、割り当て分解能の値“１”と、木構造で示した場合の位置である“７”（図１７中の“７”）が通知される。
【０１２５】
ＵＥ２では、周波数ブロック数は２であるため、図１２の対応表を用いると割り当て分解能は１ＲＢとなる。割り当て分解能を１ＲＢとし、Tree-Basedで全帯域１０ＲＢ内における１つの周波数ブロックに対応するリソースを表記するには、６bitsで表記可能な１〜５５におけるいずれかの値となる。ＵＥ２には、周波数ブロックが２個スケジューリングされるため、ＵＥ２にはUL Scheduling Grantが２つ生成される。そして、そのUL Scheduling Grantのビット数は、割り当て分解能の値の通知を含めると、６bits＋２bits＝８bitsのUL Scheduling Grantと６bitsのUL Scheduling Grantとなる。ＵＥ２に通知するUL Scheduling Grantが示す内容は、割り当て分解能の値“１”と、割り当てたリソースブロックの位置を木構造で示した場合の位置である“３”及び“６”（図１５中の“３”及び“６”）が通知される。尚、割り当て分解能の値を、全UL Scheduling Grantに入れる場合は、６bits＋２bits＝８bitsのUL Scheduling Grantが２つとなる。
【０１２６】
また、ＵＥ１では、周波数ブロック数は３であるため、図１２の対応表を用いると割り当て分解能は２ＲＢとなる。割り当て分解能を２ＲＢとし、Tree-Basedで全帯域１０ＲＢ内における１つの周波数ブロックに対応するリソースを表記するには、４bitsで表記可能な１〜１５におけるいずれかの値となる。ＵＥ１には、周波数ブロック数が３個スケジューリングされるため、ＵＥ１にはUL Scheduling Grantが３つ生成される。そして、そのUL Scheduling Grantのビット数は、割り当て分解能の値の通知を含めると、４bits＋２bits＝６bitsのUL Scheduling Grantと４bitsのUL Scheduling Grantが２つとなる。ＵＥ１に通知するUL Scheduling Grantが示す内容は、割り当て分解能の値“２”と、割り当てたリソースブロックの位置を木構造で示した場合の位置である“０”、“２”及び“４”（図１４中の“０”、“２”、及び“４”）が通知される。尚、割り当て分解能の値を、全UL Scheduling Grantに入れる場合は、４bits＋２bits＝６bitsのUL Scheduling Grantが３つとなる。このように、周波数ブロック数が増大しても、割り当て分解能を大きくすることで、リソース割り当て情報量を削減することが出来る。
【０１２７】
次に、一般的な木構造のリソース割り当て情報の生成法を述べる。割り当て分解能がＰリソースブロック（Ｐは１以上）、周波数ブロック数がn(nは１以上)の場合の例を、式１を用いて説明する。ここで、１周波数ブロックをＰ（割り当て分解能）個の連続したリソースブロックと定義する。リソース割り当て情報は、n個のリソース指示値(ＲＩＶ)から構成される。第n番目の周波数ブロックのリソース指示値RIVｎは、開始の周波数ブロック（ＲＢＧstart,n）と連続する周波数ブロックの長さ（ＬCRBGs,n）とを示す。第n番目のリソース指示値RIVｎは以下の式１で定義される。
（式１）
0005413628.tif 000002
【０１２８】
以下では、上記のようにUL Scheduling Grantを周波数ブロック数と同数生成する構成を用いて説明するが、他の構成であっても良い。例えば、複数の周波数ブロックの割り当て情報を、１つのUL scheduling Grantに記して、UL Scheduling Grantの数を周波数ブロックの数より少なくする構成であっても良い。ここで、このような構成について、周波数ブロック数が３であるＵＥ１において、２つのUL Scheduling Grantを生成する例を用いて説明する。
【０１２９】
１つのUL Scheduling Grantに、１つの周波数ブロックに対応するリソースの情報と割り当て分解能の値（４bits＋２bits＝６bits）を含め、他方のUL Scheduling Grantには、２つの周波数ブロックに対応するリソースの情報（４bits＋4bits＝8bits）を含める。また、１つのUL Scheduling Grantに、2つの周波数ブロックに対応するリソースの情報と割り当て分解能の値（４bits＋４bits＋２bits＝10bits）を含め、他方のUL Scheduling Grantには、1つの周波数ブロックに対応するリソースの情報（４bits）を含めても良い。UL Scheduling Grantに含めることが可能な最大のbit数が予め決まっていれば、このbit数によって、１つのUL Scheduling Grantに含める周波数ブロックの割り当て情報の数を決定すれば良い。
【０１３０】
尚、第２の実施の形態では、基地局は移動局に周波数ブロックの数を通知していたが、本実施の形態において、UL Scheduling Grantの数を周波数ブロック数より少なくする場合、周波数ブロックの数とＰＤＣＣＨ(Physical Downlink Control Channel)の数は異なるため、基地局は移動局にＰＤＣＣＨ(Physical Downlink Control Channel)の数を通知する。この結果、端末におけるＰＤＣＣＨ(Physical Downlink Control Channel)の復調回数を第２の実施の形態よりもさらに削減することが出来る。
【０１３１】
上記のように生成されたUL Scheduling Grant SUSCBは、下り制御信号生成部１１１に入力される。下り制御信号生成部１１１には、他にもDL Scheduling Grant SDSCB、および移動局識別情報SUIDBおよび周波数ブロック信号SUDFBが入力される。複数のUL Scheduling Grantのそれぞれ、および、DL Scheduling Grantに、移動局識別信号SUIDBを多重し、複数のUL Scheduling Grantそれぞれを下りリンクの制御信号PDCCH SDCCBとして生成し、さらに、DL Scheduling Grantを下りリンクの制御信号PDCCH SDCCBとして生成する。下りリンクの制御信号PDCCH SDCCBは、UL Scheduling Grant SUSCBとDL Scheduling Grant SDSCBとの合計のScheduling Grantと同数生成される。また、下りリンクの制御信号PDCCH SDCCBには、UL Scheduling GrantとDL Scheduling Grantを区別するための識別子であるDCI(Downlink Control Information)formatを示した情報bitが多重される。例えば、下りリンクの制御信号PDCCH SDCCBにおけるDCIformatが、UL Scheduling Grantの場合には0、DL Scheduling Grantの場合には1が、多重される。
【０１３２】
下り制御信号復調部２０７は、PDCCH SDCCUを入力とし、PDCCH SDCCUを復調して下りリンクの制御信号を再生し、自移動局に対応する移動局識別情報が多重されている再生結果を分離し、下り制御再生信号SDCMUとして出力する。尚、自移動局に対するＰＤＣＣＨは自局に割り当てられた周波数ブロックの数分、多重されている。
【０１３３】
上りスケジューリング情報抽出部２１０は、下り制御再生信号SDCMUから、上りリンクのＲＢが割り当てられた情報を示すUL Scheduling Grantを抽出する。次に、UL Scheduling Grantに含まれている割り当て分解能の値からTree-Basedの木構造を識別し、この木構造において、上りＲＢ割り当て情報が示すＲＢを特定し、上りＲＢ割り当て判定情報SUSCUとして出力する。
【０１３４】
続いて、本実施の形態の動作を図１９のフローを用いて説明する。
【０１３５】
基地局１００の受信部１０１は、移動局２００からの信号を受信し、ガードインターバルを用いて上りリンクの同期を確立し、基地局受信信号SRXBを出力する（ステップＳ１）。
【０１３６】
出力された基地局受信信号SRXBから、上りＲＳ（Reference Signal）分離部１０２は、複数の移動局の上りリンクのＲＳ信号が多重された上りＲＳ信号SURSBを分離し出力する（ステップＳ２）。
【０１３７】
複数の移動局の上りＲＳ信号SURSBから、上りＣＱＩ測定部１０３がそれぞれの移動局におけるＲＢ毎のＣＱＩ（Channel Quality Indicator）を算出し、上りＣＱＩ情報SUCQBとして出力する（ステップＳ３）。
【０１３８】
上りスケジュール部１０４は、移動局毎の上りＣＱＩ情報SUCQBに基づいて、各移動局に割り当てるリソースにおける周波数ブロックの数を決定する（ステップＳ４）。
【０１３９】
自装置において保持している図１２のような対応表を用いて、決定した周波数ブロックの数に対応付けられている割り当て分解能を決定することによりTree-basedの構造を決定し、UL Scheduling Grantのビット数を決定したTree-basedの構造に応じたビット数になるように設定する（ステップＳ２１）。
【０１４０】
決定された割り当て分解能の個数ずつのリソ-スブロックで且つ決定された周波数ブロックの数でＲＢを割り当てる（ステップＳ５−１）。
【０１４１】
次に、上りスケジュール部１０４は、割り当てたＲＢの位置をTree Basedで示した情報と割り当て分解能の値とをUL Scheduling Grant SUSCBとして設定されたビット数で周波数ブロック毎に出力し、周波数ブロック数をSUDFBとして出力する（ステップＳ６）。
【０１４２】
下り制御信号生成部１１１は、UL Scheduling Grant SUSCB、DL Scheduling Grant SDSCB、移動局識別情報SUIDBおよび周波数ブロック信号SUDFBが入力され、下り制御信号生成部１１１は、複数のUL Scheduling Grant SUSCBのそれぞれ、および、DL Scheduling Grant SDSCB に、移動局識別情報SUIDBを多重し、UL Scheduling Grant SUSCBとDL Scheduling Grant SDSCBの合計のScheduling Grantの数と同数の下りリンクの制御信号をＰＤＣＣＨ(Physical Downlink Control Channel) SDCCBとして生成し出力する。UL Scheduling Grant SUSCBが多重されたＰＤＣＣＨ(Physical Downlink Control Channel) SDCCBは、周波数ブロック数と同数生成される。更に、周波数ブロック数SUDFBを入力としてHigher layerの制御信号を生成してＰＢＣＨとして出力する（ステップＳ７）。
【０１４３】
下りＲＳ信号生成部１１２は、下りリンクのＲＳ信号を下りＲＳ信号SDRSBとして生成し出力し、下りデータ信号生成部１１３は、DL Scheduling Grant SDSCBを入力とし、DL Scheduling Grant SDSCBが示すＲＢパターンに従って、複数の移動局の下りリンクのデータ信号を多重し、Physical Downlink Shared Channel(ＰＤＳＣＨ) SDDCBを生成し出力する（ステップＳ８）。
【０１４４】
多重部１１４は、PDCCH SDCCB、ＲＳ信号SDRSBおよびPDSCH SDDCBを入力とし、これらの信号を多重し、下り多重信号SMUXBとして生成して出力し、送信部１１５は、下り多重信号SMUXBを入力として送信信号STXBを生成し出力する（ステップＳ９）。
【０１４５】
移動局２００の受信部２０１は、基地局１００からの信号を受信し、ガードインターバルを用いて下りリンクの同期を確立し、移動局受信信号SRXUを出力する（ステップＳ１０）。
【０１４６】
下りＲＳ（Reference Signal）信号分離部２０２は、移動局受信信号SRXUを入力とし、下りリンクのＲＳ信号が多重された下りＲＳ信号SDRSUを分離し、下りＣＱＩ測定部２０３はこの下りＲＳ信号SDRSUを入力としてＲＢ毎のＣＱＩを算出し、下りＣＱＩ情報SDCQUとして出力する（ステップＳ１１）。
【０１４７】
下り制御信号分離部２０６は、移動局受信信号SRXUを入力とし、複数の移動局の下りリンクの制御信号が多重されたPDCCH SDCCUを分離し、下り制御信号復調部２０７はPDCCH SDCCUを復調して下りリンクの制御信号を再生し、自移動局に対応する移動局識別情報が多重されている再生結果を分離し、下り制御再生信号SDCMUとして出力する（ステップＳ１２）。
【０１４８】
下り制御信号復調部２０７は、ＰＢＣＨを入力とし、ＰＢＣＨを復調してHigher layerの制御信号を再生し、自移動局に対応する移動局識別情報が多重されている再生結果を分離して、Higher layer制御再生信号の周波数ブロックの数から自移動局宛のＰＤＣＣＨの数を認識し、復調した自移動局宛のＰＤＣＣＨの数が周波数ブロックの数と同数に達した時、ＰＤＣＣＨの復調を終了する（ステップＳ２０）。
【０１４９】
下りスケジューリング情報抽出部２０８は、下り制御再生信号SDCMUを入力とし、下りリンクのリソース割り当て情報に対応する下りＲＢ割り当て判定情報 SDSCUを抽出し出力する（ステップＳ１３）。
【０１５０】
上りスケジューリング情報抽出部２１０は、下り制御再生信号SDCMUから、上りリンクのＲＢが割り当てられた情報を示すUL Scheduling Grantを抽出して割り当て分解能の値を確認する（ステップＳ２２）。
【０１５１】
次に、割り当て分解能の値からTree-Basedの木構造を識別し、この木構造において、上りＲＢ割り当て情報が示すＲＢを特定し、上りＲＢ割り当て判定情報SUSCUとして出力する（ステップＳ１４−１）。
【０１５２】
上り制御信号生成部２１１は、上りＲＢ割り当て判定情報SUSCUと下りＣＱＩ情報SDCQUを入力とし、下りＣＱＩ情報SDCQUを上りＲＢ割り当て判定情報SUSCUが示す予め決められた制御信号用のリソースに多重したPhysical Uplink Control Channel(ＰＵＣＣＨ) SUCCUを生成し出力する（ステップＳ１５）。
【０１５３】
上りＲＳ信号生成部２１２は、上りＲＢ割り当て判定情報SUSCUを入力とし、上りＲＢ割り当て判定情報SUSCUにおいて、予め決められたＲＳ用のリソースを用いて、上りリンクＲＳ送信信号SURSUを生成し出力する（ステップＳ１６）。
【０１５４】
上りデータ信号生成部２１３は、上りＲＢ割り当て判定情報SUSCUを入力とし、上りＲＢ割り当て判定情報SUSCUにおいて、予め決められたデータ信号用のリソースを用いて、Physical Uplink Shared Channel(ＰＵＳＣＨ) SUDCUを生成し出力する（ステップＳ１７）。
【０１５５】
多重部２１４は、PUCCH SUCCU、上りリンクＲＳ送信信号SURSU、PUSCH SUDCUおよび下り制御信号判定信号SDAKUを入力とし、これらの信号を多重し、移動局多重信号SMUXUを生成し、送信部２１５は移動局送信信号SMUXUを基地局１００へ送信する（ステップＳ１８）。
【０１５６】
尚、上記実施の形態では、移動局の伝搬路の品質状況から周波数ブロック数を決定し、この周波数ブロックに応じて割り当て分解能を設定している構成を用いて説明したが、移動局の伝搬路の品質状況に応じて割り当て分解能を設定する構成であっても良い。また、上記実施の形態では、周波数ブロック数はPhysical Downlink Control Channel (ＰＤＣＣＨ)で通知される場合を用いて説明したが、このほかにもＰＢＣＨ（Physical Broadcast Channel）、Dynamic BCHと呼ばれるＰＤＳＣＨ（Physical Downlink Shared Channel）等にマッピングされるHigher layerの制御信号で通知される。この場合、基地局の下り制御信号生成部１１１に設けられているＰＢＣＨ生成部又はＰＤＳＣＨ生成部（共に図示せず）に周波数ブロック数SUDFBが入力され、ＰＢＣＨ又はＰＤＳＣＨによって移動局に通知される。また、また、上りリンクおよび下りリンクの制御信号の情報は、１msec程度のフレーム単位で変化するため、これらの変化に合わせて割り当て分解能を変化させると、端末の処理が複雑になる問題がある。このため、割り当て分解能は、複数フレーム周期で変更するように制限を加えても良い。
【０１５７】
また、上記実施の形態では、割り当て分解能を周波数ブロックに応じて決定する構成を用いて説明したが、同一端末に割り当てることができる周波数ブロックの最大数である最大周波数ブロック数に応じて決定する構成であっても良い。
【０１５８】
また、上記実施の形態では、上りスケジュール部１０４は、決定された割り当て分解能の個数ずつのリソ-スブロックで且つ決定された周波数ブロックの数でＲＢを割り当てる形態を用いて説明したが、決定された割り当て分解能の個数ずつのリソ-スブロックで且つ決定された周波数ブロックの数以内になるようにＲＢを割り当てる形態であっても良い。
【０１５９】
また、上記実施の形態では、割り当て分解能の値を通知する場合を用いて説明したが、割り当て分解能の値を送信しない形態であっても良い。この場合、移動局に図１２で示したような対応表を記憶させておき、受信した周波数ブロックの数と対応表とを用いて割り当て分解能を認識する構成をとる。
【０１６０】
また、上記では、説明の簡略のため、システム帯域を１０個のＲＢとして説明したが、システム帯域２０MHzの実際のLTEシステムの場合におけるビット数削減効果を説明する。複数の周波数ブロックの割り当てが可能なLTEの下りリンクと同様に、システム帯域２０MHz(ＲＢ数＝１００)において、１ユーザのリソース割り当てに用いるシグナリングbit数を３７とすることを前提とすると、図１２の周波数ブロック数と割り当て分解能の関係を用いることで、周波数ブロック数が４以下におけるシグナリングビット数を割り当て分解能の通知(２bit)を含めて３７bits以下の３５bitsに抑えることが可能である。尚、図２０には、１〜４の周波数ブロック数それぞれについて、Tree-Basedを用いて周波数ブロック数個の周波数ブロックのＲＢパターンを通知するために必要なビット数を示している。
【０１６１】
上述の通り、伝搬路の品質が良い移動局は周波数ブロック数を大きくし、伝搬路の品質が悪い移動局は周波数ブロック数を小さくし、これに応じて割り当て分解能を決定している。これは、伝搬路の品質が良い移動局の場合は低い電力密度で送信するため広い帯域で送信でき、全体的に伝搬路品質が良好なため、周波数ブロック数と共に割り当て分解能を大きくしても伝搬路品質が低下することがないからである。一方、伝搬路の品質が悪い移動局の場合は高い電力密度で送信するため狭い帯域で送信し、全体的に伝搬路品質が劣悪である故に、中でも良好なリソースを正確に選ぶため、周波数ブロック数とともに割り当て分解能も小さくする必要があるからである。このように、割り当て分解能と周波数ブロック数と移動局の伝搬路の品質とを対応付ければ、割り当て分解能を設定することによる受信特性の低下を抑えることが出来る。
【０１６２】
尚、上述した各実施の形態では、上りリンクのリソースブロックを割り当てる形態を用いて説明したが、下りリンクのリソースブロックを割り当てる形態であってもよい。このような場合、周波数ブロック数又は最大周波数ブロック数は、例えば、セルサイズ、システム帯域幅、基地局のカバレッジ、下りリファレンス信号により測定された伝搬路品質情報、下りデータ信号の帯域幅、下りデータ信号の変調多値数や符号化率等の通信環境によって変化する情報であっても良い。また、上記のセルサイズは、基地局の位置、基地局間の距離、干渉電力等の通信環境に影響を与える情報によって決定されるため、これらの情報を用いて周波数ブロック数を選択しても良い。
【０１６３】
また、上りリンクのリソースブロックを割り当てる形態と下りリンクのリソースブロックを割り当てる形態とを組み合わせて実行する形態であっても良い。
【０１６４】
また、上述した本発明の移動局と基地局とは、上記説明からも明らかなように、ハードウェアで構成することも可能であるが、コンピュータプログラムにより実現することも可能である。
【０１６５】
プログラムメモリに格納されているプログラムで動作するプロセッサによって、上述した実施の形態と同様の機能、動作を実現させる。尚、上述した実施の形態の一部の機能のみをコンピュータプログラムにより実現することも可能である。
【０１６６】
以上、実施形態を参照して本願発明を説明したが、本願発明は上記実施形態に限定されるものではない。本願発明の構成や詳細には、本願発明の範囲内で当業者が理解し得る様々な変更をすることが出来る。
【０１６７】
（付記１）
本発明は、リソース割り当て方法であって、周波数軸上で少なくとも１以上のリソースブロックが連続して成るリソースブロック群を端末に割り当て、前記端末に割り当てられる周波数帯域の数に基づいて、リソース割当に関する割り当て情報を通知する制御信号の数を決定することを特徴とする。
【０１６８】
（付記２）
本発明は、通信方法であって、周波数軸上で少なくとも１以上のリソースブロックが連続して成るリソースブロック群の割り当てに関する割り当て情報を通知する制御信号を受信し、前記端末に割り当てられる周波数帯域の数に基づいて決定された所定の数の制御信号により通知される前記割り当て情報に基づいてリソース割当を特定することを特徴とする。
【０１６９】
（付記３）
本発明は、無線システムであって、周波数軸上で少なくとも１以上のリソースブロックが連続して成るリソースブロック群を端末に割り当てる割当手段と、前記端末に割り当てられる周波数帯域の数に基づいて、リソース割当に関する割り当て情報を通知する制御信号の数を決定する決定手段と
を有することを特徴とする。
【０１７０】
（付記４）
本発明は、基地局であって、周波数軸上で少なくとも１以上のリソースブロックが連続して成るリソースブロック群を割り当てる無線システムであって、決定された数分の制御信号を用いて通知される、割り当てられたリソースブロック群に関する情報から、移動局に割り当てられたリソースブロックを特定する特定手段を有することを特徴とする。
【０１７１】
（付記５）
本発明は、移動局であって、周波数軸上で少なくとも１以上のリソースブロックが連続して成るリソースブロック群の割り当てに関する割り当て情報を通知する制御信号を受信する受信手段と、前記割り当て情報に基づいて、リソース割当を特定する特定手段とを有し、前記特定手段は、前記端末に割り当てられる周波数帯域の数に基づいて決定された所定の数の制御信号により通知される前記割り当て情報に基づいてリソース割当を特定することを特徴とする。
【０１７２】
（付記６）
本発明は、周波数軸上で少なくとも１以上のリソースブロックが連続して成るリソースブロック群の割り当てを特定する移動局であって、決定された数分の制御信号を用いて通知される、割り当てられたリソースブロック群に関する情報から、移動局に割り当てられたリソースブロックを特定する特定手段を有することを特徴とする。
【０１７３】
（付記７）
本発明は、基地局のプログラムであって、前記プログラムは前記基地局に、周波数軸上で少なくとも１以上のリソースブロックが連続して成るリソースブロック群を端末に割り当てる割当処理と、前記割り当てたリソースブロック群のリソースブロックを示す割り当て情報を通知する制御信号の数を決定する決定処理とを実行させることを特徴とする。
【０１７４】
（付記８）
本発明は、周波数軸上で少なくとも１以上のリソースブロックが連続して成るリソースブロック群の割り当てを特定する移動局のプログラムであって、前記プログラムは前記移動局に、決定された数分の制御信号を用いて通知される、割り当てられたリソースブロック群に関する情報から、移動局に割り当てられたリソースブロックを特定する特定処理を実行させることを特徴とする。
【０１７５】
本出願は、２００８年６月２０日に出願された日本出願特願２００８−１６１７５３号を基礎とする優先権を主張し、その開示の全てをここに取り込む。
【図１】
0005413628.tif 000003
【図２】
0005413628.tif 000004
【図３】
0005413628.tif 000005
【図４】
0005413628.tif 000006
【図５】
0005413628.tif 000007
【図６】
0005413628.tif 000008
【図７】
0005413628.tif 000009
【図８】
0005413628.tif 000010
【図９】
0005413628.tif 000011
【図１０】
0005413628.tif 000012
【図１１】
0005413628.tif 000013
【図１２】
0005413628.tif 000014
【図１３】
0005413628.tif 000015
【図１４】
0005413628.tif 000016
【図１５】
0005413628.tif 000017
【図１６】
0005413628.tif 000018
【図１７】
0005413628.tif 000019
【図１８】
0005413628.tif 000020
【図１９】
0005413628.tif 000021
【図２０】
0005413628.tif 000022